(57)【要約】【課題】  画像のデータファイルに対する操作性を簡単にする。【解決手段】  内蔵メモリはデータファイルをユーザが利用可能な画像領域Ｐｓと、利用不能な消去領域Ｃｓとに区分されている。画像領域Ｐｓ内のデータファイルに対して仮消去指示すると、データファイルは消去領域Ｃｓに移動されて仮消去される。仮消去したデータファイルに対して完全消去を指示すると、そのデータファイルは内蔵メモリから完全に消去され、復活を指示するとそのデータファイルが画像領域Ｐｓに移動されて利用可能となる。消去領域の領域サイズは、それに格納されている各データファイルの合計に所定のデータサイズを加算した大きさとなるように変化される。【選択図】        図４
2005258805.tif 000002
【特許請求の範囲】
【請求項１】
イメージセンサで撮影することにより得られるデータファイルを記録媒体に記録する撮影装置において、
外部から操作され、少なくともデータファイルに対して利用不能にするための仮消去指示及び仮消去指示により利用不能にされたデータファイルを記録媒体から消去するための完全消去指示をするための操作手段と、
前記記録媒体の記録領域をデータファイルを外部からの操作で利用可能に格納する画像領域と利用不能に格納する消去領域とに区分し、前記操作部から仮消去指示がされたデータファイルを前記画像領域から消去領域に移動して仮消去し、また完全消去指示されたデータファイルを記録媒体から完全消去する制御手段とを備えたことを特徴とする撮影装置。
【請求項２】
前記制御手段は、前記記録媒体の記録領域を前記画像領域と前記消去領域とに予め区分しておくことを特徴とする請求項１記載の撮影装置。
【請求項３】
前記制御手段は、消去領域の領域サイズを消去領域に格納すべきデータファイルのデータサイズの合計に所定のデータサイズを加算した大きさとなるように変化させることを特徴とする請求項１または２記載の撮影装置。
【請求項４】
前記制御手段は、消去領域の領域サイズを消去領域に格納すべきデータファイルのデータサイズの合計と同じになるように変化させることを特徴とする請求項１記載の撮影装置。
【請求項５】
前記制御手段は、仮消去すべきデータファイルの生成年月日に対応したフォルダを消去領域内に作成し、仮消去されたデータファイルを生成年月日ごとにフォルダにまとめて格納することを特徴とする請求項１ないし４のいずれか１項に記載された撮影装置。
【請求項６】
前記操作手段は、仮消去指示により利用不能にされたデータファイルを利用可能にするための復活指示が可能にされ、前記制御手段は、仮消去すべきデータファイルを消去領域から画像領域に移動させることを特徴とする請求項１ないし５のいずれか１項に記載の撮影装置。
【請求項７】
イメージセンサで撮影することにより得られるデータファイルを記録媒体に記録する撮影装置において、
外部から操作され、少なくともデータファイルに対して利用不能にするための仮消去指示及び仮消去指示により利用不能にされたデータファイルを利用可能にするための復活指示をするための操作手段と、
前記記録媒体の記録領域をデータファイルを外部からの操作で利用可能に格納する画像領域と利用不能に格納する消去領域とに区分し、前記操作部からの指示に応じて、仮消去指示がされたデータファイルを前記画像領域から消去領域に移動して仮消去し、復活指示がされたデータファイルを前記消去領域から画像領域に移動させて復活させるとともに、この復活の際に画像領域に移動すべきデータファイルと画像領域に既存のデータファイルのファイル番号が一致する場合には、画像領域に移動すべきデータファイルとファイル番号が一致する画像領域に既存のデータファイルのファイル番号及びそれ以降のファイル番号を「１」ずつ増やすように画像領域に既存の各データファイルのファイル名を修正する制御手段とを備えたことを特徴とする撮影装置。
【請求項８】
イメージセンサで撮影することにより得られるデータファイルを記録媒体に記録する撮影装置において、
外部から操作され、少なくともデータファイルに対して利用不能にするための仮消去指示及び仮消去指示により利用不能にされたデータファイルを利用可能にするための復活指示をするための操作手段と、
前記記録媒体の記録領域をデータファイルを外部からの操作で利用可能に格納する画像領域と利用不能に格納する消去領域とに区分し、前記操作部からの指示に応じて、仮消去指示がされたデータファイルを前記画像領域から消去領域に移動して仮消去し、復活指示がされたデータファイルを前記消去領域から画像領域に移動させて復活させるとともに、この復活の際に画像領域に移動すべきデータファイルと画像領域に既存のデータファイルとに対して、それぞれのデータファイルの生成時間情報に基づいて、時系列の順番でファイル番号が付与されるようにファイル名を修正する制御手段とを備えたことを特徴とする撮影装置。
【請求項９】
記録媒体上のデータファイルの記録状態を制御手段によって制御するデータ管理方法において、
前記制御手段によって、前記記録媒体の記録領域をデータファイルを外部からの操作で利用可能に格納する画像領域と利用不能に格納する消去領域とに区分し、外部からの操作で仮消去指示がされたデータファイルを画像領域から消去領域に移動して仮消去し、また完全消去指示されたデータファイルを記録媒体から完全消去することを特徴とするデータ管理方法。
【請求項１０】
前記記録媒体の記録領域を前記画像領域と前記消去領域とに予め区分しておくことを特徴とする請求項９記載のデータ管理方法。
【請求項１１】
前記制御手段によって、前記消去領域の領域サイズを消去領域に格納すべきデータファイルのデータサイズの合計に所定のデータサイズを加算した大きさとなるように変化させることを特徴とする請求項１０記載のデータ管理方法。
【請求項１２】
前記制御手段によって、前記消去領域の領域サイズを消去領域に格納すべきデータファイルのデータサイズの合計と同じになるように変化させることを特徴とする請求項９記載のデータ管理方法。
【請求項１３】
前記制御手段によって、仮消去すべきデータファイルの生成年月日に対応したフォルダを消去領域内に作成し、仮消去されたデータファイルを生成年月日ごとにフォルダにまとめて格納することを特徴とする請求項９ないし１２のいずれか１項に記載のデータ管理方法。
【請求項１４】
仮消去したデータファイルに対して復活が指示された際には、そのデータファイルを消去領域から画像領域に移動させることを特徴とする請求項９ないし１３のいずれか１項に記載のデータ管理方法。
【請求項１５】
記録媒体上のデータファイルの記録状態を制御手段によって制御するデータ管理方法において、
前記制御手段によって、前記記録媒体の記録領域をデータファイルを外部からの操作で利用可能に格納する画像領域と利用不能に格納する消去領域とに区分し、外部からの操作で部からの仮消去指示がされたデータファイルを画像領域から消去領域に移動して仮消去し、復活指示されたデータファイルを前記消去領域から画像領域に移動して復活させ、この復活の際に画像領域に移動すべきデータファイルと画像領域に既存のデータファイルのファイル番号が一致する場合には、画像領域に移動すべきデータファイルとファイル番号が一致する画像領域に既存のデータファイルのファイル番号及びそれ以降のファイル番号を「１」ずつ増やすように画像領域に既存の各データファイルのファイル名を修正することを特徴とするデータ管理方法。
【請求項１６】
記録媒体上のデータファイルの記録状態を制御手段によって制御するデータ管理方法において、
前記制御手段によって、前記記録媒体の記録領域をデータファイルを外部からの操作で利用可能に格納する画像領域と利用不能に格納する消去領域とに区分し、外部からの操作で部からの仮消去指示がされたデータファイルを画像領域から消去領域に移動して仮消去し、復活指示されたデータファイルを前記消去領域から画像領域に移動して復活させるとともに、この復活の際に画像領域に移動すべきデータファイルと画像領域に既存のデータファイルとに対して、それぞれのデータファイルの生成時間情報に基づいて、時系列の順番でファイル番号が付与されるようにファイル名を修正することを特徴とするデータ管理方法。
【発明の詳細な説明】
【技術分野】
【０００１】
本発明は、データファイルの消去などを行なう撮影装置及びデータ管理方法に関するものである。
【背景技術】
【０００２】
撮影装置、例えばデジタルカメラで撮影された画像は、例えば、小型のスマートメディア（登録商標）などのメモリーカードや、それに類する磁気ディスク等の記録媒体にデータファイルとして記憶される。このような記録媒体は一般的に高価であるため、通常は空き記憶容量が少なくなった時点で不要なデータファイルを消去したり、コンピュータのハードディスクにデータファイルを移動する等して、空き記憶容量を作成していた。
【０００３】
記録媒体からデータファイルを消去する際に、データファイルを完全に消去してしまうと、例えば誤って消去したときには、そのデータファイルを復活、すなわち再生する等の利用が不可能になってしまう。このような不都合を防止するために、特許文献１では、データファイルの消去処理を選択可能にした情報取り扱い装置が提案されている。
【０００４】
上記の情報取り扱い装置によれば、データファイルを消去する際には、通常消去処理，予約消去処理，完全消去処理を選択することができる。通常消去処理は、データファイルを後に復活させて利用可能にするように、データファイルのデータ自体を残したままファイル管理情報の変更を行うことで、あたかもデータファイルが消去されたようにし、予約消去処理は、通常消去処理と同様であるが、この処理によって消去されたデータファイルの復活が容易な操作で行なうことができるようになっている。また、完全消去処理では、データファイルのデータ自体をランダムなデータ等で書き換えることによって、復活させることができないように完全にデータファイルを消去しており、機密保持の点で優れている。
【０００５】
【特許文献１】特開平７−１７０４８０号
【発明の開示】
【発明が解決しようとする課題】
【０００６】
ところで、上記のようにデータファイルの消去の際に消去処理を選択可能にすれば、復活可能なようにデータファイルを消去したり、完全に消去したりすることができるが、所望とする消去処理あるいは好ましい消去処理をその都度選択しなければならず、操作が煩雑となってしまうという問題がある。また、ユーザが各消去処理の違いを十分に理解した上で、いずれの消去処理を選択すべきかを考える必要があり面倒であった。
【０００７】
本発明は、上記問題点を解決するためのもので、誤ってデータファイルを消去した場合などでもデータファイルの復活を可能にしながら、消去処理の操作性に優れた撮影装置及びデータ管理方法を提供することを目的とする。
【課題を解決するための手段】
【０００８】
上記目的を達成するために、請求項１記載の撮影装置では、外部から操作され、少なくともデータファイルに対して利用不能にするための仮消去指示及び仮消去指示により利用不能にされたデータファイルを記録媒体から消去するための完全消去指示をするための操作手段と、
前記記録媒体の記録領域をデータファイルを外部からの操作で利用可能に格納する画像領域と利用不能に格納する消去領域とに区分し、前記操作部から仮消去指示がされたデータファイルを前記画像領域から消去領域に移動して仮消去し、また完全消去指示されたデータファイルを記録媒体から完全消去する制御手段とを備えたものである。
【０００９】
請求項２記載の撮影装置では、制御手段は、記録媒体の記録領域を画像領域と消去領域とに予め区分しておくものである。
【００１０】
請求項３記載の撮影装置では、制御手段は、消去領域の領域サイズを消去領域に格納すべきデータファイルのデータサイズの合計に所定のデータサイズを加算した大きさとなるように変化させるものである。
【００１１】
請求項４記載の撮影装置では、制御手段は、消去領域の領域サイズを消去領域に格納すべきデータファイルのデータサイズの合計と同じになるように変化させるものである。
【００１２】
請求項５記載の撮影装置では、制御手段は、仮消去すべきデータファイルの生成年月日に対応したフォルダを消去領域内に作成し、仮消去されたデータファイルを生成年月日ごとにフォルダにまとめて格納するものである。
【００１３】
請求項６記載の撮影装置では、操作手段は、仮消去指示により利用不能にされたデータファイルを利用可能にするための復活指示が可能にされ、制御手段は、仮消去すべきデータファイルを消去領域から画像領域に移動させるものである。
【００１４】
請求項７記載の撮影装置では、外部から操作され、少なくともデータファイルに対して利用不能にするための仮消去指示及び仮消去指示により利用不能にされたデータファイルを利用可能にするための復活指示をするための操作手段と、
前記記録媒体の記録領域をデータファイルを外部からの操作で利用可能に格納する画像領域と利用不能に格納する消去領域とに区分し、前記操作部からの指示に応じて、仮消去指示がされたデータファイルを前記画像領域から消去領域に移動して仮消去し、復活指示がされたデータファイルを前記消去領域から画像領域に移動させて復活させるとともに、この復活の際に画像領域に移動すべきデータファイルと画像領域に既存のデータファイルのファイル番号が一致する場合には、画像領域に移動すべきデータファイルとファイル番号が一致する画像領域に既存のデータファイルのファイル番号及びそれ以降のファイル番号を「１」ずつ増やすように画像領域に既存の各データファイルのファイル名を修正する制御手段とを備えたものである。
【００１５】
請求項８記載の撮影装置では、外部から操作され、少なくともデータファイルに対して利用不能にするための仮消去指示及び仮消去指示により利用不能にされたデータファイルを利用可能にするための復活指示をするための操作手段と、
前記記録媒体の記録領域をデータファイルを外部からの操作で利用可能に格納する画像領域と利用不能に格納する消去領域とに区分し、前記操作部からの指示に応じて、仮消去指示がされたデータファイルを前記画像領域から消去領域に移動して仮消去し、復活指示がされたデータファイルを前記消去領域から画像領域に移動させて復活させるとともに、この復活の際に画像領域に移動すべきデータファイルと画像領域に既存のデータファイルとに対して、それぞれのデータファイルの生成時間情報に基づいて、時系列の順番でファイル番号が付与されるようにファイル名を修正する制御手段とを備えたものである。
【００１６】
請求項９記載のデータ管理方法では、制御手段によって、記録媒体の記録領域をデータファイルを外部からの操作で利用可能に格納する画像領域と利用不能に格納する消去領域とに区分し、外部からの操作で仮消去指示がされたデータファイルを画像領域から消去領域に移動して仮消去し、また完全消去指示されたデータファイルを記録媒体から完全消去するものである。
【００１７】
請求項１０記載のデータ管理方法では、記録媒体の記録領域を画像領域と消去領域とに予め区分しておくものである。
【００１８】
請求項１１記載のデータ管理方法では、制御手段によって、消去領域の領域サイズを消去領域に格納すべきデータファイルのデータサイズの合計に所定のデータサイズを加算した大きさとなるように変化させるものである。
【００１９】
請求項１２記載のデータ管理方法では、制御手段によって、消去領域の領域サイズを消去領域に格納すべきデータファイルのデータサイズの合計と同じになるように変化させるものである。
【００２０】
請求項１３記載のデータ管理方法では、制御手段によって、仮消去すべきデータファイルの生成年月日に対応したフォルダを消去領域内に作成し、仮消去されたデータファイルを生成年月日ごとにフォルダにまとめて格納するものである。
【００２１】
請求項１４記載のデータ管理方法では、仮消去したデータファイルに対して復活が指示された際には、そのデータファイルを消去領域から画像領域に移動させるものである。
【００２２】
請求項１５に記載のデータ管理方法では、制御手段によって、記録媒体の記録領域をデータファイルを外部からの操作で利用可能に格納する画像領域と利用不能に格納する消去領域とに区分し、外部からの操作で部からの仮消去指示がされたデータファイルを画像領域から消去領域に移動して仮消去し、復活指示されたデータファイルを前記消去領域から画像領域に移動して復活させ、この復活の際に画像領域に移動すべきデータファイルと画像領域に既存のデータファイルのファイル番号が一致する場合には、画像領域に移動すべきデータファイルとファイル番号が一致する画像領域に既存のデータファイルのファイル番号及びそれ以降のファイル番号を「１」ずつ増やすように画像領域に既存の各データファイルのファイル名を修正するものである。
【００２３】
請求項１６記載のデータ管理方法では、制御手段によって、記録媒体の記録領域をデータファイルを外部からの操作で利用可能に格納する画像領域と利用不能に格納する消去領域とに区分し、外部からの操作で部からの仮消去指示がされたデータファイルを画像領域から消去領域に移動して仮消去し、復活指示されたデータファイルを前記消去領域から画像領域に移動して復活させるとともに、この復活の際に画像領域に移動すべきデータファイルと画像領域に既存のデータファイルとに対して、それぞれのデータファイルの生成時間情報に基づいて、時系列の順番でファイル番号が付与されるようにファイル名を修正するものである。
【発明の効果】
【００２４】
本発明によれば、記録媒体の記録領域をデータファイルを外部からの操作で利用可能に格納する画像領域と利用不能に格納する消去領域とに区分し、仮消去指示がされたときにはデータファイルを画像領域から消去領域に移動して仮消去し、仮消去されたデータファイルに完全消去指示されたときには、そのデータファイルを消去領域から完全消去する。そして、消去領域の領域サイズを消去領域に格納するデータファイルのデータサイズに応じて変化させるようにしたから、仮消去，完全消去の操作が簡単になる。
【００２５】
また、記録媒体の記録領域を画像領域と前記消去領域とに予め区分することにより、、データファイルを仮消去する際に、その仮消去の時点で消去領域を生成する必要がなく、仮消去を迅速に行うことができる。さらには、消去領域の領域サイズを消去領域に格納すべきデータファイルのデータサイズの合計に所定のデータサイズを加算した大きさとなるように変化させるから、あるいは消去領域の領域サイズを消去領域に格納すべきデータファイルのデータサイズの合計と同じになるように変化させるから、記録媒体の記録領域を有効に利用できる。
【００２６】
さらに、仮消去すべきデータファイルを消去領域に作成したデータファイルの生成年月日に対応したフォルダ内に格納するようにしたから、仮消去後に行う完全消去や復活をフォルダ単位で指示することができ操作性が向上する。さらに、仮消去指示により利用不能にされたデータファイルに対して復活の指示されたときには、そのデータファイルを消去領域から画像領域に移動させるようにしたから、仮消去，完全消去，復活が簡単な操作で行うことができる。
【００２７】
さらにまた、データファイルの復活の際に、画像領域に移動すべきデータファイルと既存のデータファイルのファイル番号が一致するときに、そのファイル番号が一致する画像領域に既存のデータファイルのファイル番号及びそれ以降のファイル番号を「１」ずつ増やすように画像領域に既存の各データファイルのファイル名を修正し、あるいは移動すべきデータファイルと既存のデータファイルとに対して、データファイルの生成時間情報に基づいて時系列の順番でファイル番号が付与されるようにファイル名を修正するから、データファイルの復活の後の画像領域のデータファイルのファイル番号が時系列となり、ユーザのデータファイルの管理を容易にすることができる。
【発明を実施するための最良の形態】
【００２８】
本発明を実施したデジタルカメラの前面側を図１に、背面側を図２にそれぞれ示す。カメラボディ２の前面には、撮影レンズ３，ストロボ発光部４，レリーズボタン５が設けられている。背面には、ＬＣＤ７，操作部８が設けられている。このデジタルカメラには記録媒体としての内蔵メモリ９（図３参照）が設けられおり、この内蔵メモリ９に撮影で得られる画像のデータファイルが記録される。
【００２９】
ＬＣＤ７は、撮影レンズ３を通して撮影される被写体画像をリアルタイムで表示する、いわゆる電子ビューファインダを構成するとともに、画像の再生等に使用される。また、このＬＣＤ７には、後述する仮消去したデータファイルを格納した消去フォルダの一覧であるフォルダリストが表示される。さらに、ＬＣＤ７には、必要に応じて操作案内や各種指示を行なうためのアイコン等が表示される。
【００３０】
操作部８には、設定ボタン１１，メニューボタン１２，消去ボタン１３，十字ボタン１５，決定ボタン１６が設けられている。この操作部８を操作することによって、撮影モードと再生モードとの切り換え、再生モード下での再生する画像、後述する消去・復活処理モードへの移行、この消去・復活処理モード下での仮消去，完全消去，復活の指示等を行なうことができる。
【００３１】
再生モード及び撮影モード下で消去ボタン１３を押圧すると、消去・復活処理モードとなり、データファイルの仮消去，完全消去，復活を行なうことができる。この例では、再生モード下で消去ボタン１３を押圧すると、仮消去，完全消去を行なうことができ、撮影モード下で消去ボタン１３を押圧すると、完全消去，復活を行なうことができる。
【００３２】
仮消去は、ユーザに対して、再生モード及び撮影モード下でデータファイルを不可視化して利用不能にし、実質的に消去されたものとするが、復活指示によって利用可能なデータファイルとして復活させることができる消去処理である。また、完全消去は、メモリカード９からデータファイルのデータを完全に消してしまうものであり、この処理の後にはデータファイルを復活させることができない消去処理である。復活は、仮消去されたデータファイルをユーザが利用可能にする処理である。
【００３３】
上記デジタルカメラの構成を図３に示す。ＣＰＵ２０は、レリーズボタン５，操作部８の操作に応じた操作信号が入力され、その操作信号に応じてデジタルカメラの各部を制御する。ＣＰＵ２０には、ＲＯＭ２０ａ，ＲＡＭ２０ｂが接続されている。ＲＯＭ２０ａには、ＣＰＵ２０が実行する各種のプログラムが書き込まれている。ＲＡＭ２０ｂは、ＣＰＵ２０が各種プログラムを実行する際の作業用メモリとして使用される。
【００３４】
撮影レンズ３の背後には、ＣＣＤイメージセンサ２２が配されている。このＣＣＤイメージセンサ２２は、ドライバ２３によって駆動され、撮影した被写体画像を撮影信号として出力する。ＣＣＤイメージセンサ２２からの撮影信号は、ＣＤＳ回路２４によってノイズの除去処理が行なわれた後に、アンプ２５で増幅されてからＡ／Ｄ変換器２６に送られる。Ａ／Ｄ変換器２６は、撮影信号をデジタル変換して出力する。なお、ＣＣＤイメージセンサ２２の代わりにＭＯＳ型のイメージセンサなどを用いてもよい。
【００３５】
これまでのカラー用のＣＣＤイメージセンサと同様に、ＣＣＤイメージセンサ２２には、例えばＲ（赤色），Ｇ（緑色），Ｂ（青色）のカラーフィルタがモザイク状に設けられており、Ａ／Ｄ変換器２６からはＲ，Ｇ，Ｂの各画像データが出力される。このＡ／Ｄ変換器２６からの画像データは、映像信号処理部２７に送られる。映像信号処理部２７は、ホワイトバランス調節，ガンマ変換処理，データ変換を行なう。映像信号処理部２７が行なうデータ変換には、Ｒ，Ｇ，Ｂの画像データをＹＣ（輝度・色差）データに変換する処理と、その逆の変換処理とがある。
【００３６】
ＣＰＵ２０，映像信号処理部２７，表示制御部２８，バッファメモリ２９，メモリコントローラ３１，内蔵メモリ９は、データバス３３によって接続されており、これら各部はＣＰＵの２０の制御の下でデータバス３３を介してデータの授受を行う。メモリコントローラ３１は、ＣＰＵ２０の制御されてバッファメモリ２９，内蔵メモリ９にアクセスしてデータの読み出し及び書き込みを行う。
【００３７】
表示制御部２８は、入力される画像データに基づいて、ＬＣＤ７を駆動する。撮影モード下では、映像信号処理部２７でホワイトバランス調節，ガンマ変換処理が施された画像データが次々に入力されることによって、ＣＣＤイメージセンサ２２で撮影中の被写体像がＬＣＤ７に動画で表示される。
【００３８】
再生モード下で内蔵メモリ９から読み出されたデータファイルは、ＣＰＵ２０によってデータ伸張されてＹＣデータとされ、さらに映像信号処理部２７に送られてＲ，Ｇ，Ｂの画像データに変換されてから表示制御部２８に送られる。これにより内蔵メモリ９に記録されている画像がＬＣＤ７に表示される。
【００３９】
また、消去・復活処理モードにおいては、ＣＰＵ９が内蔵メモリ９の内容に基づいた指示を表示制御部２８に送ることにより、フォルダリストがＬＣＤ７に表示される。また、フォルダリストの他に、ＣＰＵ９の指示によってフォルダリストから消去フォルダを選択するためのカーソルや、例えば「データファイルを消去しますか？」等の操作案内や、この操作案内に対する指示（「Ｙｅｓ」・「Ｎｏ」）のアイコン等が表示される。
【００４０】
撮影モード下でレリーズボタン５が押圧操作された際には、これに応答したＣＣＤイメージセンサ２２の撮影で得られる１フレーム分の画像データが映像信号処理部２７に送られ、この映像信号処理部２７によりホワイトバランス調節，ガンマ変換処理が施されてからバッファメモリ２９に書き込まれる。この後に１フレーム分の画像データは映像信号処理部２７に再度送られてＹＣデータに変換されてからＣＰＵ２０に送られる。ＣＰＵ２０は、１フレーム分のＹＣデータをＪＰＥＧ形式の圧縮されたデータファイルに変換してから、メモリコントロー３１を制御して内蔵メモリ９に書き込む。
【００４１】
図４に内蔵メモリ９の記録状態を模式的に示す。内蔵メモリ９は、データの記録領域Ａｓが画像領域Ｐｓと消去領域Ｃｓとに区分されて利用される。この領域の区分は、例えば内蔵メモリ９に記録されるデータファイルを管理するための管理領域（図示省略）に画像領域Ｐｓと消去領域Ｃｓとのアドレス範囲を記録することによって区分されている。
【００４２】
画像領域Ｐｓには、撮影で得られる画像のデータファイルＰ１，Ｐ２，Ｐ３・・・・がフォルダ（ディレクトリ）Ｐｄ内に記録される。なお、一般的に、データファイルに付与される「DSCFXXXX.JPG」をファイル名と呼ぶとともに、「DSCFXXXX」の部分についてもファイル名と呼ぶことがあるため、以下では混乱を避けるために「DSCFXXXX.JPG」をファイル名と称し、「DSCFXXXX」の部分を便宜的に識別名と称して説明する。
【００４３】
データファイルＰ１，Ｐ２，Ｐ３・・・・には、ファイル番号を含む所定形式の識別名と画像用の拡張子とからなるファイル名「DSCFXXXX.JPG」が付与されている。上記の「DSCFXXXX.JPG」のうちの「DSCFXXXX」が識別名であり、「.（ピリオド）」 の後の「JPG 」が画像用の拡張子である。また、ファイル名のうちの「XXXX」が「0001」〜「9999」の４桁の数字からなるファイル番号である。このファイル番号は、記録される順番に大きな値となるようにして重複しないように付与される。ファイル名のうちの「DSCF」は、予め適宜決められたものが用いられる。
【００４４】
上記の画像領域Ｐｓ内のデータファイルのファイル形式やフォルダ構造，ファイル名などは、ＤＣＦ（Design rule of Camera File system ）規格に準拠したものであるが、本発明を実施する上ではＤＣＦ規格に沿っていなくてもよい。また、画像用の拡張子として「JPG 」を用いているのは、データファイルをＪＰＥＧ形式で保存しているためである。したがって、データファイルを他のファイル形式とする場合には、そのファイル形式に応じたものが用いられる。
【００４５】
消去領域Ｃｓには、ＣＰＵ２０の制御によって、仮消去が指示されたデータファイルが画像領域Ｐｓから移動され、その仮消去が指示されたデータファイルの生成年月日、すなわち撮影年月日をフォルダ名とした消去フォルダ（デイレクトリ）Ｃｄ内に格納される。図４に示される例では、平成１２年３月１日の撮影で得られたデータファイルＰ７，Ｐ８が仮消去されたことによって、これらのデータファイルＰ７，Ｐ８がフォルダ名「120301」の消去フォルダＣｄに格納されている。データファイルの撮影日は、例えば内蔵メモリ９の管理領域に記録されている各データファイルの生成年月日に基づいて知ることができる。また、デジタルカメラで記録されるデータファイルには、撮影年月日、時間の情報が記録されるから、それを用いて知ることもできる。
【００４６】
消去フォルダＣｄは、仮消去処理が実行されたときに、ＣＰＵ２０の制御によって作成されるが、すでに該当するフォルダ名の消去フォルダＣｄが消去領域Ｃｓに作成されている場合には、その消去フォルダＣｄに仮消去するデータファイルを格納する。これにより、図４に示されるように、同一年月日の撮影で得られたデータファイルＰ７，Ｐ８は同じ消去フォルダＣｄに格納される。消去領域Ｃｓに移動されたデータファイルは、再生モード及び撮影モード下ではＣＰＵ２０はアクセスしないので不可視化される。
【００４７】
消去領域Ｃｓには、データファイルが書き込まれない予備域Ｃｒが設けられる。この予備域Ｃｒは、予め決められた大きさ領域（データ）サイズであり、消去領域Ｃｓ内のデータファイルの有無にかかわらず設けられる。消去領域Ｃｓは、その領域サイズが、消去領域Ｃｓに格納される全データファイルと予備域Ｃｒのデータサイズの合計となるようにＣＰＵ２０によって制御される。したがって、消去領域Ｃｓに記録されている全データファイルのデータサイズに応じて消去領域Ｃｓの領域サイズが動的に変化する。予備域Ｃｒの領域サイズは、このデジタルカメラで記録可能な最も大きなデータファイル１個分の小きさとされている。
【００４８】
上記のように内部メモリ９の記憶領域Ａｓを予め画像領域Ｐｓと消去領域Ｃｓとに区分しておくことで、仮消去が指示され際に消去領域Ｃｓを設定する必要がなく、仮消去の処理を迅速に行うことができる。また、消去領域Ｃｓに予備域Ｃｒを用意しておくことにより、仮消去が指示された際に、その領域サイズを増加させずに少なくとも１個のデータファイルを、その指示の直後に迅速に消去領域Ｃｓに移動させることができ、仮消去の処理速度を向上させることができる。
【００４９】
ＣＰＵ２０は、データ復活が指示されたデータファイルを消去領域Ｃｓから画像領域Ｐｓに移動する。このデータ復活の際に、移動するデータファイルと同じファイル名のデータファイルが画像領域Ｐｓに記録されている場合には、同一ファイル名が付与された画像領域Ｐｓのデータファイルのファイル番号と、そのファイル番号よりも大きなデータファイルのファイル番号をそれぞれ「１」大きくするようにファイル名を変更する。これによりデータ復活の際にファイル名が重複しないようにし、データ整理を簡単にしている。
【００５０】
完全消去の際には、ＣＰＵ２０は、完全消去の対象となるデータファイルのデータが内蔵メモリ９上から実際に消去する。完全消去の対象となるデータファイルは、消去領域Ｃｓに記録されているデータファイル、すなわち仮消去されたデータファイルである。
【００５１】
データ復活の際には、消去領域Ｃｓ内のいずれかの消去フォルダＣｄを選択して、その選択した消去フォルダＣｄに格納されている全データフォルダを復活させることができる。また、完全消去では、データ復活の場合と同様に消去用フォルダの選択によるものの他に、消去領域Ｃｓ内の全データファイルを一括して消去することができる。
【００５２】
次に、上記構成の作用について説明する。撮影モード下では、これまでのデジタルカメラと同様、ＣＣＤイメージセンサ２２で撮影することにより得られる被写体画像のＲ，Ｇ，Ｂの画像データが連続的に表示制御部２８に送られる。これにより、撮影中の被写体画像が動画としてＬＣＤ７に表示される。撮影する場合には、撮影者は、ＬＣＤ７に表示される画像を見ながらフレーミングを行なって、レリーズボタン５を押圧操作する。
【００５３】
レリーズボタン７が押圧されると、この直後に得られる１フレーム分の画像データは、映像信号処理部２７でホワイトバランス調節，ガンマ変換処理が施されてから、バッファメモリ２９に書き込まれ、この後に再度、映像信号処理部２７でＹＣデータに変換されてからＣＰＵ２０に送られる。そして、１フレーム分のＹＣデータがＪＰＥＧ形式のデータファイルに変換され、このデータファイルがＣＰＵ９の制御によって内蔵メモリ９の画像領域Ｐｓに記録される。以下、同様に撮影モード下でレリーズボタン５を押圧操作することにより得られるデータファイルが内蔵メモリ９の画像領域Ｐｓに記録される。
【００５４】
内蔵メモリ９に記録されている画像を再生する場合には、操作部８を操作して再生モードにする。再生モードを選択すると、ＣＰＵ２０の制御によって画像領域Ｐｓにアクセスが行われ、例えば最初にファイル番号の最も小さいデータファイルが読み出される。読み出されたデータファイルは、ＣＰＵ２０によってＹＣデータに変換された後に、映像信号処理部２７でＲＧＢの画像データに変換されてから表示制御部２８に送られる。これにより、ＬＣＤ７にメモリカード９に記録されている画像が表示される。
【００５５】
再生モード下で十字ボタン１５を操作することにより、内蔵メモリカード９から次のファイル番号のデータファイルが読み出され、上記の処理が行なわれることでＬＣＤ７には次の画像が表示される。このようにして、十字ボタン１５の操作に応答して再生される画像が順次に切り換えられるが、この再生モード下ではＣＰＵ２０は画像領域Ｐｓだけをアクセスするように制御するため、消去領域Ｃｓに仮消去されたデータファイルが記録されていても、そのデータファイルの画像が表示されることはない。
【００５６】
図５ないし図７に消去・復活モードでの概略的な処理の手順を示す。データファイルを仮消去する場合には、上記のように再生モード下での操作を行って仮消去すべき画像がＬＣＤ７に表示されているときに、消去ボタン１３を押圧操作する。
【００５７】
再生モード下で消去ボタンが押圧操作されると、ＣＰＵ２０によって、内蔵メモリ９の記録領域Ａｓ，消去領域Ｃｓの領域サイズ，画像領域Ｐｓに記録されている全データファイルのデータサイズとがそれぞれチェックされる。この後に消去領域Ｃｓの領域サイズと画像領域Ｐｓに記録されている全データファイルのデータサイズとの合計が記録領域Ａｓの領域サイズに達しているか否かが調べられる。
【００５８】
消去領域Ｃｓの領域サイズと画像領域Ｐｓに記録されている全データファイルのデータサイズが記録領域Ａｓの領域サイズよりも小さい場合には、次に消去領域Ｃｓに仮消去が指示されたデータファイルの生成年月日をフォルダ名とする消去フォルダの有無が調べられる。該当する消去フォルダがない場合には、仮消去が指示されたデータファイルの生成年月日をフォルダ名とする消去フォルダが消去領域Ｃｓに新規に作成されるが、既存の場合には消去フォルダは作成されない。この後に仮消去するデータファイルのデータサイズ分だけ消去領域Ｃｓを拡張してから、仮消去が指示されたデータファイルがその生成年月日をフォルダ名とする消去フォルダに画像領域Ｃｓから移動されて格納される。
【００５９】
上記同様に仮消去しようとする画像をＬＣＤ７に表示させながら、再生モー消去ボタンを押圧操作することで、表示中の画像のデータファイルが仮消去の対象とされ、そのデータファイルの生成年月日をフォルダ名とする消去フォルダに移動されて格納される。したがって、異なる生成年月日のデータファイルに対して仮消去を指示すれば、それぞれ対応する生成年月日をフォルダ名とした消去フォルダＣｄにデータファイルが移動されて格納される。
【００６０】
図８（ａ）に一例を示すように、画像領域ＰｓにデータファイルＰ１〜Ｐ４が記録され、消去領域Ｃｓに消去用フォルダが記録されていないときに、例えば平成１２年３月１日の撮影で得られたデータファイルＰ２を仮消去すると、図８（ｂ）に示すように、消去領域Ｃｓにフォルダ名「120301」の消去フォルダＣｄ１が作成されて、その消去フォルダＣｄ１にデータファイルＰ２が移動されて格納される。また、この仮消去前では消去領域Ｃｓの領域サイズは、予備域Ｃｒのデータサイズと同じであるが、仮消去の後に大きくされてデータファイルＰ２のデータサイズと予備域Ｃｒのデータサイズとの合計サイズとされる。
【００６１】
また、図８（ｂ）に示される記録状態から、例えば平成１２年３月２５日の撮影で得られたデータファイルＰ３，Ｐ４を仮消去すると、消去領域Ｃｓにフォルダ名「120325」の消去フォルダＣｄ２が作成されて、その消去フォルダＣｄ２にデータファイルＰ３が移動され、この後にデータファイルＰ４が移動されて格納される。このときに、消去領域Ｃｓの領域サイズは、データファイルＰ２〜Ｐ４の各データサイズと予備域Ｃｒのデータサイズとの合計サイズとなるように拡張される。
【００６２】
以上のように、仮消去によって消去領域Ｃｓに移動されたデータファイルは、再生モード下ではアクセスされないから、ユーザに対して消去されたのと同様なものとなる。
【００６３】
上記のように仮消去されたデータファイルを復活させる場合、及び完全消去する場合には、操作部８を操作して撮影モードとしてから消去ボタン１３を押圧操作する。
【００６４】
撮影モードとしてから消去ボタン１３を押圧操作すると、図６に示される復活・完全消去処理が行なわれる。ＣＰＵ２０によって消去領域Ｃｓ内の消去フォルダが調べられて、その結果に基づいて各消去フォルダのフォルダリストがＬＣＤ７に表示される。また、消去領域Ｃｓの全データファイルを一括消去するか否かを問い合わせるための「一括消去しますか？」の操作案内が表示される。ユーザは、この操作案内とともに表示される「Ｙｅｓ」，「Ｎｏ」のアイコンにカーソルを移動させ、決定ボタン１６を押圧することによって、一括消去するか否かを選択する。
【００６５】
「Ｙｅｓ」を選択すると、メモリカード９の消去領域Ｃｓ内の全てのデータファイルと、それらを格納していた各消去フォルダが完全消去される。そして、消去領域Ｃｓが小さくされ、予備域Ｃｒの領域サイズと同じにされる。
【００６６】
一方、「Ｎｏ」を選択した場合には、次にフォルダリストから消去フォルダを選択する。十字ボタン１５を操作して完全消去またはデータ復活しようとするフォルダリスト中の消去フォルダの位置にカーソルを移動させ、決定ボタン１６の押圧操作で選択する。
【００６７】
上記のように消去フォルダを選択すると、「データファイルを復活しますか？」の操作案内がＬＣＤ７に表示される。ユーザは、この操作案内とともに表示される「Ｙｅｓ」，「Ｎｏ」のいずれかにカーソルを移動させた状態で決定ボタン１６を押圧する。ここで、選択した消去フォルダ内のデータフォルダを復活させる場合には「Ｙｅｓ」を選択し、選択した消去フォルダ内のデータフォルダを完全消去する場合には「Ｎｏ」を選択する。
【００６８】
「Ｎｏ」を選択すると、フォルダリストで選択した消去フォルダとそれに格納されている各データファイルが完全消去される。そして、この後に消去領域Ｃｓが小さくされる。
【００６９】
完全消去の例を図９に示す。図９（ａ）に示すように消去領域Ｃｓに消去フォルダＣｄ３，Ｃｄ４が作成されている状態で、上記のように「一括消去しますか？」の操作案内が表示されているときに「Ｙｅｓ」を選択して一括の完全消去を指示すると、図９（ｂ）に示すように、消去領域Ｃｓの全消去フォルダ、すなわち消去フォルダＣｄ３，Ｃｄ４と、それらに格納されている全てのデータファイルＰ２〜Ｐ４が完全消去される。
【００７０】
また、同様に図 9（ａ）に示される記録状態で、「データファイルを復活しますか？」が表示されているときに「Ｎｏ」を選択して、フォルダリスト中で選択した消去フォルダ、例えば消去フォルダＣｄ４を選択し完全消去を指示すれば、図９（ｃ）に示すように、消去フォルダＣｄ４とそれに格納されている各データファイルＰ３，Ｐ４が完全消去され、消去フォルダＣｄ３とその内部のデータファイルＰ２は消去領域Ｃｓに残る。
【００７１】
一方、「データファイルを復活しますか？」が表示されているときに「Ｙｅｓ」を選択した場合には、フォルダリストで選択されている消去フォルダ内の全データファイルを復活するために、図７に示されるファイル番号処理が開始される。
【００７２】
まず、ファイル番号処理では、選択されている消去フォルダ内のデータファイルのうちのファイル番号が最小のデータファイルが処理対象とされ、そのファイル番号と同じファイル番号を有するデータファイルが画像領域Ｐｓに記録されているか否かが調べられる。そして、画像領域Ｐｓに同じファイル番号のデータファイルがない場合には、画像領域Ｐｓのデータファイルのファイル名を変更することなく、処理対象とされたデータファイルが消去領域Ｃｓから画像領域Ｐｓに移動される。
【００７３】
他方、例えば仮消去の後に撮影が行なわれて、仮消去されたデータファイルと同じファイル名（ファイル番号）のデータファイルが画像領域Ｐｓに記録されている場合には、画像領域Ｐｓ中の同一のファイル番号およびそれ以降のファイル番号をそれぞれ「１」増やすようにしてデータファイルのファイル名を変更する。そして、このファイル名の変更の後に、処理対象とされているデータファイルが消去領域Ｃｓから画像領域Ｐｓに移動される。
【００７４】
いずれの場合にも、１個のデータファイルの移動後には、選択された消去フォルダ内が空であるか否かが調べられ、データファイルが残っている場合には、再びファイル番号が最小のデータファイルを処理対象として上記と同じ手順で処理を行なう。このときに、先に画像領域Ｐｓに移動されたデータファイルは選択された消去フォルダはないから、結果としてファイル番号の小さいものから順番に復活の処理対象とされ、上記の手順によって順次に画像領域Ｐｓに移動される。
【００７５】
そして、選択された消去フォルダが空になると、選択された消去フォルダが消去される。そして、この後に消去領域Ｃｓが小さくされる。なお、１個のデータファイルを移動する毎に、消去領域Ｃｓを小さくしてもよい。
【００７６】
図１０にデータファイルの復活の一例を示す。図１０（ａ）に示される画像領域Ｐｓには、ファイル番号「０００１」，「０００３」〜「０００６」のデータファイルＰ１，Ｐ３〜Ｐ６が記録されており、消去領域Ｃｓには、ファイル番号「０００２」，「０００４」のデータファイルＰ１２，Ｐ１４を格納した消去フォルダＣｄ５と、ファイル番号「０００７」のデータファイルＰ１７を格納した消去フォルダＣｄ６が記録されている。画像領域ＰｓのデータファイルＰ３〜Ｐ６は、データファイルＰ１２，Ｐ１４，Ｐ１７を仮消去した後の撮影によって記録されており、消去領域ＣｓのデータファイルＰ１４と画像領域ＰｓのデータファイルＰ４とは同一のファイル番号（ファイル名）となっている。
【００７７】
上記図１０（ａ）に示される記録状態で消去フォルダＣｄ５を選択して復活を指示すると、最初にデータファイルＰ１２が処理対象とされ、このデータファイルＰ１２と同じファイル名のデータファイルが画像領域Ｐｓに記録されているか否かが調べられる。この場合には、画像領域Ｐｓ中には同じファイル名のデータファイルは記録されていないから、画像領域Ｐｓのデータファイルのファイル名が変更されることなくデータファイルＰ１２が消去領域Ｃｓから画像領域Ｐｓに移動される。
【００７８】
データファイルＰ１２の移動後、続いてデータファイルＰ１４が処理対象とされ、このデータファイルＰ１４と同じファイル名のデータファイルが画像領域Ｐｓに記録されているか否かが調べられるが、画像領域Ｐｓには同じファイル番号「０００４」のデータファイルＰ４が記録されている。このため、ファイル番号「０００４」とそれ以降のファイル番号のデータファイルＰ４〜Ｐ６のファイル番号を「１」増やすようファイル名の変更が行われる。すなわち、図１０（ｂ）に示されるように、データファイルＰ４〜Ｐ６のファイル番号が「０００５」〜「０００７」に変更されてから、データファイルＰ１４が画像領域Ｐｓに移動される。そして、この後に消去領域Ｃｓの領域サイズが小さくされる。
【００７９】
上記のように画像領域Ｐｓに記録されているデータファイルのファイル番号を変更するので、データファイルのファイル名が重複することなく、仮消去されたデータファイルを復活させることができる。また、データファイルの復活及び完全消去を、データファイルの生成年月日、すなわち撮影年月日毎に行うことができるので便利である。なお、データファイルを個別に選択して、復活，完全消去が行えるようにしてもよい。
【００８０】
再生モード下で消去ボタン１３が押圧操作された時点で、消去領域Ｃｓの領域サイズと画像領域Ｐｓに記録されている全データファイルのデータサイズとの合計がメモリカードの記憶領域の領域サイズに達している場合には、図５に示されるように、消去フォルダのフォルダリストがＬＣＤ７に表示にされる。そして、消去領域Ｃｓ内のデータファイルを完全消去するか否かの選択、完全消去する場合には消去領域Ｃｓ内の全データファイルの一括完全消去、消去フォルダ毎の完全消去の指示が可能となるが、完全消去を指示しない場合には、内蔵メモリ９がいっぱいでであることを示す警告表示がＬＣＤ７に表示される。
【００８１】
上記実施形態では、ファイル番号が重複しないように画像領域Ｐｓ内のファイル名の変更を行っているが、データファイルの生成年月日及び時間を調べ、画像領域Ｐｓ内のデータファイルに対して必ず生成年月日及び時間の順番でファイル番号が付与されるように、データファイルを復活させる際に各データファイルのファイル名の変更を行ってもよい。
【００８２】
図１１に、データファイルに撮影年月日，時間の情報が記録されることを利用して、ファイル番号を修正する例を示す。この例では、データファイルの復活が指示されると、その復活対象となるデータファイルのファイル名が画像領域Ｐｓ内のデータファイルのファイル名と重複しないものとなるように変更されてから、それら復活対象となるデータファイルが画像領域Ｐｓに移動される。
【００８３】
この後に、画像領域Ｐｓ内の各データファイルの生成時間情報として撮影年月日及び時間が調べられ、その撮影年月日及び時間の早いものから順番に、ファイル番号が「０００１」，「０００２」・・・・・となるようにファイル名の修正を行う。なお、データファイルに記録されている撮影年月日及び時間を用いる他に、例えば内蔵メモリの管理領域に記録されている各データファイルの生成年月日に基づいてファイル名を修正してもよい。
【００８４】
上記各実施形態では、データファイルのデータを画像領域Ｐｓと消去領域Ｃｓとの間でに移動させる場合に、実際にデータを移動させているが、データファイルのデータ範囲を画像領域Ｐｓあるいは消去領域Ｃｓのものとして設定し直すことにより移動したものとして取り扱うようにしてもよい。このようにすれば、仮消去の処理を短時間で行うことができる。
【００８５】
また、予め記憶領域Ａｓを区分して消去領域Ｃｓを設定しているが、仮消去されたデータファイルがあるときにだけ、消去領域Ｃｓを設定してもよい。消去領域Ｃｓに予備域Ｃｒを設けずに、消去領域Ｃｓの領域サイズを仮消去されている各データファイルのデータサイズの合計データサイズとなるようにしてもよい。
【００８６】
さらに、上記実施形態では、記録媒体として内蔵メモリを用いた例について説明しているが、記憶媒体としてはデジタルカメラに装着されるメモリカードや、磁気デイスク等であってもよく、記憶媒体が複数であってもよい。また、デジタルカメラを例にして説明したが、本発明は各種撮影装置に利用でき、例えばカメラ付き携帯電話にも適用できる。
【図面の簡単な説明】
【００８７】
【図１】本発明を実施したデジタルカメラの前面側を示す説明図である。
【図２】デジタルカメラの背面側を示す説明図である。
【図３】デジタルカメラの構成を示すブロック図である。
【図４】内蔵メモリの記録状態を示す説明図である。
【図５】消去ボタンが操作された際の処理手順を示すフローチャートである。
【図６】復活・完全消去処理の処理手順を示すフローチャートである。
【図７】データファイルを復活させる際の処理手順を示すフローチャートである。
【図８】データファイルの仮消去を説明する説明図である。
【図９】データファイルの完全消去を説明する説明図である。
【図１０】データファイルの復活を説明する説明図である。
【図１１】データファイルを復活させる際に撮影年月日及び時間に応じてファイル名を修正する例を示すものである。
【符号の説明】
【００８８】
８  操作部
９  内蔵メモリ
１３  消去ボタン
２０  ＣＰＵ
Ｃｓ  記録領域
Ｐｓ  画像領域
Ｃｓ  消去領域
Ｃｒ  予備域
【図１】
2005258805.tif 000003
【図２】
2005258805.tif 000004
【図３】
2005258805.tif 000005
【図４】
2005258805.tif 000006
【図５】
2005258805.tif 000007
【図６】
2005258805.tif 000008
【図７】
2005258805.tif 000009
【図８】
2005258805.tif 000010
【図９】
2005258805.tif 000011
【図１０】
2005258805.tif 000012
【図１１】
2005258805.tif 000013